(57)【要約】【課題】本発明は、プレキャストコンクリート板の吊込み方法に関し、吊り込み作業を能率化して工期の短縮を図ると共に、作業者の安全性確保が課題である。【解決手段】プレキャストコンクリート板を揚重搬入装置により梁間に掛け渡してスラブを構築する際に、同一階において梁で区画された１スパン分の複数個のプレキャストコンクリート板を構築物のサイトで上下方向に複数段に地組みし、そのプレキャストコンクリート板を前記揚重搬入装置で吊り込み、横方向に移動させながら１スパン毎に前記複数個のプレキャストコンクリート板を一度に敷設し、１回の揚重作業で複数スパン分のスラブを敷設する吊り込み方法である。【選択図】    図１
2004308155.tif 000002
【特許請求の範囲】
【請求項１】
プレキャストコンクリート板を揚重搬入装置により梁間に掛け渡してスラブを構築する際に、
同一階において梁で区画された１スパン分の複数個のプレキャストコンクリート板を構築物のサイトで上下方向に複数段に地組みし、
そのプレキャストコンクリート板を前記揚重搬入装置で吊り込み、
横方向に移動させながら１スパン毎に前記複数個のプレキャストコンクリート板を一度に敷設し、
１回の揚重作業で複数スパン分のスラブを敷設すること、
を特徴とするＰＣ板の吊込み方法。
【請求項２】
１スパン分の複数個のプレキャストコンクリート板は、当該プレキャストコンクリート板の目地方向と直交する方向で、且つ、当該板の上下面に配設された鋼材をボルトで締結することで狭装され、当該下面に配設された鋼材が、梁間に敷設されたプレキャストコンクリート板の支保工の一部に転用されること、
を特徴とする請求項１に記載のＰＣ板の吊込み方法。
【請求項３】
１スパン分の複数個のプレキャストコンクリート板の上面に横架されるチャンネルと、同下面に横架されるとともに支保工の一部に転用される角形パイプと、隣接する前記プレキャストコンクリート板の目地位置において前記チャンネルと前記角形パイプとに上下方向に貫通して挿通されるボルト及びその締結用のナットと、前記ナットの下部に下段のプレキャストコンクリート板を吊持するために取り付けられる接続金物とから構成されていること、
を特徴とするＰＣ板の吊り治具。
【発明の詳細な説明】
【０００１】
【発明の属する技術分野】
本発明は、プレキャストコンクリート板（以下、ＰＣ板という）の吊込み方法に係り、詳しくは、吊り込み作業を能率化して工期の短縮を図るＰＣ板の吊込み方法とその吊り治具に関する。
【０００２】
【従来の技術】
従来において、ＰＣ造の高層住宅を建築する場合に、図７に示すように、例えば、タワークレーンで搬送された複数枚のＰＣ板（商品名：スパンクリート板、オムニア板等）２１を、一旦、取付階の仮置き場所２２に仮置きして、その後、専用治具２３で一枚毎に、ボイド部分２１ａにフックを掛けて、前記ＰＣ板２１を横移動させて、梁２４間に掛け渡して敷設している。敷設されるＰＣ板２１の中央部の下面には、支保工２５が架設され支持されている。
【０００３】
このような方法の場合、タワークレーンや専用治具による揚重回数が多く、多くの工程を占めている。ＰＣ板のボイド部分が欠けたりすることがある。また、取付階での横方向にＰＣ板を敷き並べる作業中においては、敷設前の空所があるので、作業者にとっても落下の危険があり、安全対策上に課題がある。
【０００４】
また、揚重作業回数を削減するために、ＰＣ板の搬送方法として、複数枚のＰＣ板をスペーサブロックを介して段積みし、吊下金具を前記複数枚のＰＣ板に貫通させて、その吊下金具の下端部からコッターを展開して、最下段のＰＣ板に係合させることで吊り上げるようにした方法が知られている（例えば、特許文献１参照。）。
【０００５】
【特許文献１】
特開平５−２３９９２４号公報（第２頁乃至第３頁、第４図）
【０００６】
【発明が解決しようとする課題】
しかしながら、この方法においての、一枚のＰＣ板を上下方向に複数枚段積みするものであり、ＰＣ板の搬入方法においては従来例と同様であって、横方向に敷設することにおいて、別の専用治具が不要となって、効率的であると言うものであるが、仮置きされたＰＣ板を横方向に敷き並べる手間が掛かることにおいては、従来と同様である。また、ＰＣ板が仮置き中に捻れて梁間から落下するなどの危険もある。よって、クレーンの揚重回数を削減し、作業員の安全性を確保することに解決すべき課題がある。本発明に係るＰＣ板の吊込み方法と吊り治具はこのような課題を解決するために提案されたものである。
【０００７】
【課題を解決するための手段】
上記課題を解決するために、本発明に係るＰＣ板の吊込み方法の要旨は、プレキャストコンクリート板を揚重搬入装置により梁間に掛け渡してスラブを構築する際に、同一階において梁で区画された１スパン分の複数個のプレキャストコンクリート板を構築物のサイトで上下方向に複数段に地組みし、そのプレキャストコンクリート板を前記揚重搬入装置で吊り込み、横方向に移動させながら１スパン毎に前記複数個のプレキャストコンクリート板を一度に敷設し、１回の揚重作業で複数スパン分のスラブを敷設するＰＣ板の吊込み方法である。
【０００８】
又、前記１スパン分の複数個のプレキャストコンクリート板は、当該プレキャストコンクリート板の目地方向と直交する方向で、且つ、当該板の上下面に配設された鋼材をボルトで締結することで狭装され、当該下面に配設された鋼材が、梁間に敷設されたプレキャストコンクリート板の支保工の一部に転用されることを含むものである。
【０００９】
本発明に係る吊り治具の要旨は、１スパン分の複数個のプレキャストコンクリート板の上面に横架されるチャンネルと、同下面に横架されるとともに支保工の一部に転用される角形パイプと、隣接する前記プレキャストコンクリート板の目地位置において前記チャンネルと前記角形パイプとに上下方向に貫通して挿通されるボルト及びその締結用のナットと、前記ナットの下部に下段のプレキャストコンクリート板を吊持するために取り付けられる接続金物とから構成されていることである。
【００１０】
本発明に係るＰＣ板の吊込み方法によれば、ＰＣ造の構築物において、同一階のスラブを、梁間にＰＣ板を一度に１スパン分敷設して、構築することができる。また、１スパン分のＰＣ板を複数段に地組みして吊り込むので、１回の揚重作業で、複数スパン分の敷設作業を済ませることができる。これにより、揚重作業回数が大幅に削減されるものである。また、ＰＣ板を複数段に地組みした際の鋼材がそのまま支保工の一部に転用されて、作業効率が向上するものである。
【００１１】
【発明の実施の形態】
次に、本発明に係るＰＣ板の吊込み方法について、図面を参照して説明する。なお、発明の理解を容易にするため、従来例に対応する部分には従来例と同一の符号を付けて説明する。
【００１２】
本発明に係るＰＣ板の吊り込み方法では、先ず、１スパン分の複数個のＰＣ板２１を、鋼材等で狭装させて、それを上下方向に複数段に地組みする。これには、図１（Ａ）に示すように、例えば、アルミニウム製で軽量の角形パイプ１を建築中のＰＣ構造物のサイトにおいて、間隔を開けて平行に敷設する。なお、この角形パイプ１は、図４（Ｄ）に示す作業台２の上に置かれるものである。また、図３に示すように、予め所定の箇所にナット６ａが溶接して固着されている。
【００１３】
次ぎに、トラック等の運送手段で運ばれたＰＣ板２１を、クレーンで吊り上げ、前記角形パイプ１の上に架設する。図１（Ｂ）に示すように、一例として、１スパン分のＰＣ板２１は、６枚（全幅約６ｍ）である。このＰＣ板２１は、その長手方向に沿ってボイド２１ａが設けられて遮音性と断熱性が良好なものであり、ＰＣ鋼線等でプレストレスが付与されている。また、前記角形パイプ１には、上下方向に貫通する貫通孔が、両端部と中央部とに設けられている。
【００１４】
図１（Ｂ）に示すように、敷設された６枚のＰＣ板２１の上に、目地方向に直角になるようにして、鋼製で上コ字形のチャンネル３が、前記角形パイプ１に対応させて２箇所に配設される。このチャンネル３は、図２に示すように、補強鉄板３ａを溶接して約６ｍの長さにしてある。また、前記角形パイプ１の貫通孔に対応させて、貫通孔３ｂが３箇所に設けられている。
【００１５】
更に、このチャンネル３の側壁の２箇所に貫通孔が設けられ、そこに、ボルト４が挿通されてナット４ａで締結されている。このボルト４には、後に、吊り上げ用のシャックル５（図３参照）が掛けられるものである。
【００１６】
そして、図１（Ｂ）と図３（Ａ），（Ｂ）とに示すように、貫通孔３ｂにボルト６を通して、前記ナット６ａに締結させる。これにより、ＰＣ板２１が、チャンネル３と角形パイプ１とで狭装される。これでＰＣ板６枚により、１スパン分のスラブができあがる。
【００１７】
次ぎに、図１（Ｃ）に示すように、ＰＣ板２１を段積みする。その場合には、図３（Ａ）（図中の右側），（Ｃ）に示すように、長ナット７を下面に固着した角形パイプ１を下段のＰＣ板２１の上に載置して、上段のＰＣ板２１を敷く。長ナット７は、隣接するＰＣ板２１の目地部分に納まるように配置する。
【００１８】
そして、該上段のＰＣ板２１の上に、目地に直交させてチャンネル３を敷設し、その貫通孔３ｂにボルト６を上から挿通して角形パイプ１に貫通させ、前記長ナット７に締結する。このようにして、吊り治具により、１スパン分の６枚のＰＣ板２１を上下方向に、例えば３段にして地組みして、サイトにＰＣ板吊り荷Ａができる。
【００１９】
次ぎに、図４（Ａ）に示すように、Ｈ型鋼８と単管パイプ９とをキャッチクランプで繋いで、四角の吊上げ用治具を形成する。これを揚重搬入装置であるタワークレーンでワイヤー１３を介して吊り上げる。前記治具からワイヤー１０を下げて、図３（Ａ）に示すように、その下端を最上段のチャンネル３のボルト４にシャックル５を掛けて連結する。
【００２０】
図４（Ｂ）に示すように、タワークレーンのワイヤー１３を巻き上げて、前記ワイヤー１０を介して最上段のＰＣ板２１を吊り上げる。次ぎに、前記最上段のＰＣ板２１の下面の角形パイプ１の長ナット７に、作業者が間に入り込んで接続金物１１をねじ込む。その接続金物１１にフックを掛けてワイヤー１２を吊るし、そのワイヤー１２の下端部を下段のチャンネル３のボルト４に前記シャックル５で連結することを繰り返す。これにより、図４（Ｃ），（Ｄ）に示すように、３段のＰＣ板２１が上下方向にワイヤー１０，１２を介して吊り上げられる。図５（Ａ），（Ｂ）に示す状態が、ＰＣ板吊り荷Ａの吊り上げ状態である。
【００２１】
次ぎに、図６に示すように、前記ＰＣ板２１をタワークレーンで構築中のＰＣ造の構造物の最上階に搬入する。そして、まず最初に、最下段の６枚のＰＣ板２１を梁２４間に敷設する。１スパン分のスラブ敷設が１度で完了する。更に、支保工でＰＣ板２１の下面の角形パイプ１を支持する。当該角形パイプ１は、支保工の一部として転用される。
【００２２】
そして、前記タワークレーンで若干ワイヤー１２が弛むくらいに降下させ、その状態を維持して作業者が、最下段と中段のＰＣ板２１の間に入り込み、当該最下段のＰＣ板２１上のチャンネル３と、前記中段のＰＣ板２１下面の角形パイプ１とのワイヤー１２による連結を解除する。
【００２３】
その後、タワークレーンで横方向に移動させ、次に１スパン分の区画に、中段の６枚のＰＣ板２１を梁間に敷設する。そして、中段と最上段のＰＣ板２１のワイヤー１２による連結を作業者によって解除して、更にタワークレーンで横に移動させて、最上段の６枚のＰＣ板２１を隣接する１スパンの区画に敷設する。支保工でＰＣ板下面の角形パイプ１を支持する。
【００２４】
前記１スパン分のＰＣ板２１を、隣接した（必ずしも隣接していなくても良い）３区画に３回に亘り連続して敷設した後は、ボルト６をそれぞれにおいて外して、チャンネル３は撤去する。
【００２５】
また、ＰＣ板２１上に現場打ちでコンクリートを打設して床を形成した後に、支保工の解体と共に前記角形パイプ１も撤去する。接続金具１１も角形パイプ１から外しておく。こうして、タワークレーンの揚重回数が大幅に削減されるものであり、また、ＰＣ板２１が６枚で一度に敷設されて梁２４間に納まるので、捻れて梁２４から落下する等の危険もない。
【００２６】
【発明の効果】
上記説明したように、本発明に係るＰＣ板の吊込み方法は、プレキャストコンクリート板を揚重搬入装置により梁間に掛け渡してスラブを構築する際に、同一階において梁で区画された１スパン分の複数個のプレキャストコンクリート板を構築物のサイトで上下方向に複数段に地組みし、そのプレキャストコンクリート板を前記揚重搬入装置で吊り込み、横方向に移動させながら１スパン毎に前記複数個のプレキャストコンクリート板を一度に敷設し、１回の揚重作業で複数スパン分のスラブを敷設するので、揚重搬入装置による吊り上げ回数が大幅に削減されるとともに、ＰＣ板の落下の危険性が解消され作業者の落下防止にもなると言う優れた効果を奏するものである。
【００２７】
また、１スパン分の複数個のプレキャストコンクリート板は、当該プレキャストコンクリート板の目地方向と直交する方向で、且つ、当該板の上下面に配設された鋼材をボルトで締結することで狭装され、当該下面に配設された鋼材が、梁間に敷設されたプレキャストコンクリート板の支保工の一部に転用されるので、ＰＣ板敷設時の支保工の組立作業工数も工数削減となる。
【００２８】
本発明に係る吊り治具は、１スパン分の複数個のプレキャストコンクリート板の上面に横架されるチャンネルと、同下面に横架されるとともに支保工の一部に転用される角形パイプと、隣接する前記プレキャストコンクリート板の目地位置において前記チャンネルと前記角形パイプとに上下方向に貫通して挿通されるボルト及びその締結用のナットと、前記ナットの下部に下段のプレキャストコンクリート板を吊持するために取り付けられる接続金物とから構成されているので、１区画分のＰＣ板を複数段に地組みすることができて、揚重回数を削減できるものである。
【図面の簡単な説明】
【図１】本発明に係るＰＣ板の吊込み方法における、ＰＣ板の地組みを示す説明図（Ａ），（Ｂ），（Ｃ），（Ｄ）である。
【図２】チャンネル３の平面図（Ａ）、正面図（Ｂ）、側面図（Ｃ）である。
【図３】同本発明に係るＰＣ板の吊込み方法における、ＰＣ板をチャンネル３と角形パイプ１とボルト６で狭装する様子を示す説明図（Ａ），（Ｂ），（Ｃ）である。
【図４】同本発明に係るＰＣ板の吊込み方法における、ＰＣ板の搬入する様子を示す説明図（Ａ），（Ｂ），（Ｃ），（Ｄ）である。
【図５】ＰＣ板吊り荷Ａの吊り上げ状態を示す説明図（Ａ），（Ｂ）である。
【図６】同本発明に係るＰＣ板の吊込み方法によって、１スパン毎にＰＣ板２１を梁間に敷設する様子を示す平面図である。
【図７】従来例に係るＰＣ板の敷設状況を示す説明図（Ａ），（Ｂ），（Ｃ）である。
【符号の説明】
１        角形パイプ、          ２                作業台、
３        チャンネル、          ３ａ              補強鉄板、
３ｂ      貫通孔、              ４                ボルト、
４ａ      ナット、              ５                シャックル、
６        ボルト、              ６ａ              ナット、
７        長ナット、            ８                Ｈ型鋼、
９        単管パイプ、          １０              ワイヤー、
１１      接続金物、            １２              ワイヤー、
１３      ワイヤー、            ２１              ＰＣ板、
２２      仮置き部分、          ２４              梁。
【図１】
2004308155.tif 000003
【図２】
2004308155.tif 000004
【図３】
2004308155.tif 000005
【図４】
2004308155.tif 000006
【図５】
2004308155.tif 000007
【図６】
2004308155.tif 000008
【図７】
2004308155.tif 000009